(57)【要約】【課題】平線等の非円形断面のワイヤからなるワイヤコイルを有する医療機器のワイヤコイルと樹脂層との界面における剥離を抑制する。【解決手段】医療機器（例えばカテーテル１０）は、長尺で可撓性を有し体腔内に挿入される医療機器本体３００を有している。医療機器本体３００は、長尺な樹脂管（シース１６）と、横断面形状が非円形のワイヤ５２を螺旋状に巻回することにより構成され樹脂管と同軸に樹脂管に埋設されているワイヤコイル５０と、を有している。ワイヤ５２の縦断面において、ワイヤ５２の厚みをＴ、医療機器本体３００の軸心からワイヤの外側表面５２ａまでの最大高低差をＨとすると、Ｈ／Ｔの値が、医療機器本体３００の長手方向における位置により異なる。【選択図】図１
2013208355.tif 000002
【特許請求の範囲】
【請求項１】
長尺で可撓性を有し、体腔内に挿入される医療機器本体を有し、
前記医療機器本体は、
長尺な樹脂管と、
横断面形状が非円形のワイヤを螺旋状に巻回することにより構成され、前記樹脂管と同軸に前記樹脂管に埋設されているワイヤコイルと、
を有し、
前記ワイヤの縦断面において、前記ワイヤの厚みをＴ、前記医療機器本体の軸心から前記ワイヤの外側表面までの最大高低差をＨとすると、Ｈ／Ｔの値が、前記医療機器本体の長手方向における位置により異なることを特徴とする医療機器。
【請求項２】
前記ワイヤの外側表面において、前記医療機器本体の軸心から最も遠くに位置する頂部が、前記長手方向において前記ワイヤの中心位置からずれていることを特徴とする請求項１に記載の医療機器。
【請求項３】
前記ワイヤの縦断面において、前記ワイヤの断面形状における最大幅方向が、前記長手方向に対して傾斜していることを特徴とする請求項１又は２に記載の医療機器。
【請求項４】
前記Ｈの値が、前記長手方向における位置により異なることを特徴とする請求項１乃至３の何れか一項に記載の医療機器。
【請求項５】
前記Ｈ／Ｔの値が、前記医療機器本体の先端側ほど大きいことを特徴とする請求項１乃至４の何れか一項に記載の医療機器。
【請求項６】
前記Ｈ／Ｔの値が、前記医療機器本体の基端側ほど大きいことを特徴とする請求項１乃至４の何れか一項に記載の医療機器。
【請求項７】
前記医療機器本体の長手方向における一部区間において、前記ワイヤコイルの互いに隣接する巻回部どうしが、前記長手方向において部分的に互いに重なり合っており、
前記一部区間での前記Ｈ／Ｔの値が、前記一部区間と隣接する区間での前記Ｈ／Ｔの値よりも大きいことを特徴とする請求項５又は６に記載の医療機器。
【請求項８】
前記医療機器本体の長手方向における一部区間において、前記ワイヤコイルの互いに隣接する巻回部どうしが、前記長手方向において部分的に互いに重なり合っており、
前記一部区間での前記Ｈ／Ｔの値が、前記一部区間と隣接する区間での前記Ｈ／Ｔの値よりも大きく、
前記ワイヤの厚みは、前記医療機器本体の先端側ほど薄いことを特徴とする請求項５に記載の医療機器。
【請求項９】
前記一部区間において前記ワイヤコイルを構成する前記ワイヤの条数が、
前記一部区間と隣接する区間において前記ワイヤコイルを構成する前記ワイヤの条数よりも多いことを特徴とする請求項７又は８に記載の医療機器。
【請求項１０】
前記樹脂管において、前記ワイヤコイルよりも外側の部分の肉厚をＴＰとすると、ＴＰの値は、前記医療機器本体の先端側ほど薄いことを特徴とする請求項５乃至９の何れか一項に記載の医療機器。
【請求項１１】
前記医療機器本体の先端側ほどＨ／ＴＰの値が大きいことを特徴とする請求項１０に記載の医療機器。
【請求項１２】
前記ワイヤのピッチ角が、前記医療機器本体の長手方向における位置により異なることを特徴とする請求項１乃至１１の何れか一項に記載の医療機器。
【請求項１３】
前記医療機器本体の基端部においては、前記ワイヤコイルの外側表面が平坦であることを特徴とする請求項１乃至１２の何れか一項に記載の医療機器。
【請求項１４】
長尺で可撓性を有し、体腔内に挿入される医療機器本体を作成する工程を有し、
前記医療機器本体を作成する工程は、
長尺な内側樹脂管を形成する工程と、
横断面形状が非円形のワイヤを螺旋状に巻回することによりワイヤコイルを形成する工程と、
前記内側樹脂管の周囲に、前記ワイヤコイルを配置する工程と、
前記ワイヤコイルの周囲に長尺な外側樹脂管を形成し、前記外側樹脂管と前記内側樹脂管とを含む樹脂管に前記ワイヤコイルを埋設する工程と、
を有し、
前記ワイヤの縦断面において、前記ワイヤの厚みをＴ、前記医療機器本体の軸心から前記ワイヤの外側表面までの最大高低差をＨとすると、
前記ワイヤコイルを形成する工程では、Ｈ／Ｔの値が、前記医療機器本体の長手方向における位置により異なるように、前記ワイヤコイルを形成することを特徴とする医療機器の製造方法。
【発明の詳細な説明】
【技術分野】
【０００１】
本発明は、医療機器及び医療機器の製造方法に関する。
【背景技術】
【０００２】
一般にカテーテルは耐キンク性に乏しい。カテーテルを体腔内に挿通してガイドワイヤに沿って屈曲させた後にガイドワイヤをカテーテルから引き抜いたときに、カテーテルの内腔（メインルーメン）が潰れてしまうことが問題となる。そのため、樹脂製の内側チューブの外周にワイヤコイルを配置して耐キンク性を向上したカテーテルが提案されている（たとえば、特許文献１参照）。
【０００３】
特許文献１記載のカテーテルは、リボン状のワイヤ（いわゆる、平線）を巻回してなるワイヤコイルを内側の樹脂層（同文献の内側チューブ）の外周に備えている。特許文献１記載のカテーテルのワイヤコイルは、ワイヤの平坦面が内側の樹脂層の外周面に平行に当接するようにして巻回されている。内側の樹脂層の周囲には外側の樹脂層（同文献の外側チューブ）が積層されており、ワイヤコイルは外側の樹脂層に覆われている。ワイヤコイルを備えるカテーテルは、良好な屈曲性を維持しつつ、ワイヤコイルの保形性により耐キンク性が向上する。また、ワイヤとして平線を用いることにより、丸線を用いる場合に比べてワイヤコイルの薄型化が期待でき、その結果、内腔の断面積を十分に確保することが期待できる。このようなカテーテルは、たとえば、腎臓動脈のような多方向に屈曲した血管の手術にも好適に用いることができる。
【先行技術文献】
【特許文献】
【０００４】
【特許文献１】特表２００３−５２７２２６号公報
【発明の概要】
【発明が解決しようとする課題】
【０００５】
ここで、体腔内に挿入されたカテーテルを引き抜く際にはカテーテルに抵抗力が作用する。この抵抗力は、内側の樹脂層とワイヤコイルとの層間の界面、及び、外側の樹脂層とワイヤコイルとの層間の界面に加わる。
【０００６】
上記のように、特許文献１記載のカテーテルのワイヤコイルは、ワイヤの平坦面が内側の樹脂層の外周面に平行に当接するようにして巻回されているため、ワイヤの内周面及び外周面がカテーテルの軸心に対して平行となっている。このため、カテーテルの引き抜きの際の抵抗力により、ワイヤコイルと内側の樹脂層との界面剥離、及び、ワイヤコイルと外側の樹脂層との界面剥離が発生する可能性がある。
【０００７】
このように、平線からなるワイヤコイルを有するカテーテルにおいて、層間の優れた密着性を確保することは困難であった。
【０００８】
本発明は上記課題に鑑みてなされたものであり、平線等の非円形断面のワイヤからなるワイヤコイルを有し、且つ、ワイヤコイルと樹脂層との界面における剥離を抑制することが可能な医療機器及び医療機器の製造方法を提供することを目的とする。
【課題を解決するための手段】
【０００９】
本発明は、長尺で可撓性を有し、体腔内に挿入される医療機器本体を有し、
前記医療機器本体は、
長尺な樹脂管と、
横断面形状が非円形のワイヤを螺旋状に巻回することにより構成され、前記樹脂管と同軸に前記樹脂管に埋設されているワイヤコイルと、
を有し、
前記ワイヤの縦断面において、前記ワイヤの厚みをＴ、前記医療機器本体の軸心から前記ワイヤの外側表面までの最大高低差をＨとすると、Ｈ／Ｔの値が、前記医療機器本体の長手方向における位置により異なることを特徴とする医療機器を提供する。
【００１０】
この医療機器によれば、Ｈ／Ｔの値が、医療機器本体の長手方向における位置により異なる。ここで、Ｈ／Ｔの値が大きいほど、ワイヤの単位厚み当たりの、樹脂管に対するワイヤのアンカー効果が大きい。よって、医療機器本体の長手方向において、部分的に樹脂管に対するワイヤのアンカー効果を大きくしたい位置にて、Ｈ／Ｔの値を大きくすることにより、ワイヤコイルと樹脂管（つまり樹脂層）との界面における剥離を抑制することができる。
【００１１】
また、本発明は、長尺で可撓性を有し、体腔内に挿入される医療機器本体を作成する工程を有し、
前記医療機器本体を作成する工程は、
長尺な内側樹脂管を形成する工程と、
横断面形状が非円形のワイヤを螺旋状に巻回することによりワイヤコイルを形成する工程と、
前記内側樹脂管の周囲に、前記ワイヤコイルを配置する工程と、
前記ワイヤコイルの周囲に長尺な外側樹脂管を形成し、前記外側樹脂管と前記内側樹脂管とを含む樹脂管に前記ワイヤコイルを埋設する工程と、
を有し、
前記ワイヤの縦断面において、前記ワイヤの厚みをＴ、前記医療機器本体の軸心から前記ワイヤの外側表面までの最大高低差をＨとすると、
前記ワイヤコイルを形成する工程では、Ｈ／Ｔの値が、前記医療機器本体の長手方向における位置により異なるように、前記ワイヤコイルを形成することを特徴とする医療機器の製造方法を提供する。
【発明の効果】
【００１２】
本発明によれば、平線等の非円形断面のワイヤからなるワイヤコイルを有する医療機器のワイヤコイルと樹脂層との界面における剥離を抑制することができる。
【図面の簡単な説明】
【００１３】
【図１】第１の実施形態に係る医療機器の医療機器本体の模式的な縦断面図である。
【図２】ワイヤの断面形状の例を示す模式図である。
【図３】図１のＡ−Ａ断面図である。
【図４】第１の実施形態に係る医療機器の模式的な平面図である。
【図５】第２の実施形態に係る医療機器の医療機器本体の模式的な縦断面図である。
【図６】第３の実施形態に係る医療機器の医療機器本体の模式的な縦断面図である。
【図７】第４の実施形態に係る医療機器の医療機器本体の模式的な縦断面図である。
【図８】第５の実施形態に係る医療機器の医療機器本体の模式的な縦断面図である。
【図９】第６の実施形態に係る医療機器の医療機器本体の模式的な縦断面図である。
【発明を実施するための形態】
【００１４】
以下、本発明の実施形態について、図面を用いて説明する。なお、すべての図面において、同様の構成要素には同一の符号を付し、適宜に説明を省略する。
【００１５】
本明細書では、「医療機器の縦断面」とは、医療機器（各実施形態ではカテーテル）を、その中心軸を通って長手方向に平行に切断した断面をいう。「医療機器の横断面」とは、医療機器を径方向に平行に切断した断面をいう。カテーテルの一部材である医療機器本体、ワイヤコイル、内層等の縦断面に関しても同様である。また、「コイル状のワイヤ」の「縦断面における断面形状」とは、ワイヤをコイル状に巻回した状態での、医療機器の縦断面におけるワイヤの断面形状をいう。
これに対して、「横断面形状が非円形」のワイヤの横断面形状とは、コイル状とする前の、長尺なワイヤを、当該ワイヤの幅方向（ワイヤの延在方向に対する直交方向）に切断したときの断面形状をいう。
【００１６】
〔第１の実施形態〕
図１は第１の実施形態に係る医療機器の好適な一例としてのカテーテル１０の医療機器本体３００の模式的な縦断面図である。このうち図１（ａ）は先端部（遠位端部１５）を示し、図１（ｂ）は遠位端部１５の基端側に隣接する中間部１８を示す。図１の左方がカテーテル先端側にあたり、右方が手元側（基端側）にあたる。
図２はワイヤ５２の断面形状及び姿勢（傾斜または非傾斜）の例を示す模式図であり、このうち図２（ａ）は遠位端部１５での断面形状及び姿勢を、図２（ｂ）は中間部１８での断面形状及び姿勢を、それぞれ示す。
図３は図１のＡ−Ａ断面図である。なお、図３においては、ワイヤコイル５０の図示を省略している。
図４はカテーテルの模式的な平面図である。このうち図４（ａ）は医療機器本体３００の先端部の屈曲操作を行っていない状態を示し、図４（ｂ）は医療機器本体３００の先端部を一方向に屈曲させる操作を行っている状態を示し、図４（ｃ）は医療機器本体３００の先端部を反対方向に屈曲させる操作を行っている状態を示す。
【００１７】
本実施形態に係る医療機器（例えばカテーテル１０）は、長尺で可撓性を有し体腔内に挿入される医療機器本体３００を有している。医療機器本体３００は、長尺な樹脂管（シース１６）と、横断面形状が非円形のワイヤ５２を螺旋状に巻回することにより構成され樹脂管と同軸に樹脂管に埋設されているワイヤコイル５０と、を有している。ワイヤ５２の縦断面において、ワイヤ５２の厚みをＴ、医療機器本体３００の軸心からワイヤの外側表面５２ａまでの最大高低差をＨとすると、Ｈ／Ｔの値が、医療機器本体３００の長手方向における位置により異なる。
以下、詳細に説明する。
【００１８】
図４に示すように、カテーテル１０は、医療機器本体３００と、医療機器本体３００の先端部の屈曲操作を行うための操作機構と、を有している。
【００１９】
操作機構は、操作線４０（図１、図３）と、この操作線４０を牽引する操作を行うための操作部７０と、を有している。操作線４０は、医療機器本体３００の長手方向に沿って該医療機器本体３００に埋設されている。操作部７０は、医療機器本体３００の基端部に設けられている。操作部７０には、操作線４０の基端部が連結されており、操作部７０に対して操作を行うことによって、医療機器本体３００の先端部を屈曲させることができるようになっている。
【００２０】
カテーテル１０の本体としての医療機器本体３００は、長尺で可撓性を有しており、体腔内に挿入して用いられる。
【００２１】
カテーテル１０は、血管内に挿通させて用いられる血管内カテーテルであることが好適な一例である。より具体的には、カテーテル１０の医療機器本体３００は、当該医療機器本体３００を肝臓の８つの亜区域の何れにも進入させることが可能な寸法に形成されていることが好適な一例である。
【００２２】
なお、本明細書では、カテーテル１０（並びに医療機器本体３００）の遠位端（先端）ＤＥを含む所定の長さ領域のことを、カテーテル１０（並びに医療機器本体３００）の遠位端部１５という。同様に、カテーテル１０（並びに医療機器本体３００）の近位端（基端）（不図示）を含む所定の長さ領域のことを、カテーテル１０（並びに医療機器本体３００）の近位端部（基端部）１７（図４）という。また、カテーテル１０（並びに医療機器本体３００）の長手方向において、遠位端部１５の基端側に隣接する所定の長さ領域のことを、中間部１８という。中間部１８は、近位端部１７よりも先端側に位置する。
【００２３】
図１及び図３に示すように、医療機器本体３００の内部には、メインルーメン２０と、サブルーメン３０とが形成されている。メインルーメン２０及びサブルーメン３０は、医療機器本体３００の（カテーテル１０の）長手方向（図１における左右方向）に沿って延在している。メインルーメン２０は、例えば、医療機器本体３００の横断面（長手方向に直交する断面）における中央に配置され、サブルーメン３０は、メインルーメン２０の周囲に配置されている。より具体的には、例えば、横断面において、サブルーメン３０どうしは、メインルーメン２０の中心を基準として、回転対称位置に配置されている。
【００２４】
カテーテル１０は、例えば、複数個のサブルーメン３０を有している。各サブルーメン３０は、メインルーメン２０よりも小径である。
【００２５】
サブルーメン３０どうし、並びに、メインルーメン２０とサブルーメン３０とは、互いに離間して個別に配置されている。複数のサブルーメン３０は、例えば、メインルーメン２０の周囲に分散して配置されている。図１及び図３の例では、サブルーメン３０の数は２つであり、サブルーメン３０は、メインルーメン２０の周囲に１８０度間隔で配置されている。
【００２６】
これらサブルーメン３０の内部には、それぞれ操作線４０が挿通されている。すなわち、カテーテル１０は、例えば、２本の操作線４０を有する。
【００２７】
操作線４０は、サブルーメン３０の周壁に対して摺動することにより、サブルーメン３０に対して相対的に、サブルーメン３０の長手方向へ移動可能となっている。すなわち、操作線４０は、サブルーメン３０の長手方向に摺動可能となっている。
【００２８】
操作線４０は、単一の線材により構成されていても良いが、複数本の細線を互いに撚りあわせることにより構成された撚り線であっても良い。
一本の撚り線を構成する細線の本数は特に限定されないが、３本以上であることが好ましい。細線の本数の好適な例は、３本又は７本である。
操作線４０を構成する細線の本数が３本の場合、横断面において３本の細線が点対称に配置される。操作線４０を構成する細線の本数が７本の場合、横断面において７本の細線が点対称にハニカム状に配置される。
操作線４０の外形寸法（撚り線の外接円の直径）は、例えば、２５〜５５μｍとすることができる。
【００２９】
操作線４０を構成する線材（或いは撚り線を構成する細線）の材料としては、低炭素鋼（ピアノ線）、ステンレス鋼（ＳＵＳ）、チタンもしくはチタン合金などの可撓性の金属線のほか、ポリ（パラフェニレンベンゾビスオキサゾール）（ＰＢＯ）、ポリエーテルエーテルケトン（ＰＥＥＫ）、ポリフェニレンスルフィド（ＰＰＳ）、ポリブチレンテレフタレート（ＰＢＴ）、ポリイミド（ＰＩ）もしくはポリテトラフルオロエチレン（ＰＴＦＥ）、ボロン繊維などの高分子ファイバーを用いることができる。
【００３０】
ここで、サブルーメン３０の構造としては、例えば、以下の２通りの構造を例示することができる。
【００３１】
１つ目の構造では、図１及び図３に示すように、予め形成された中空管３２を医療機器本体３００の長手方向に沿って外層６０（後述）内に埋設し、その中空管３２の内腔をサブルーメン３０とする。すなわち、これらの例では、サブルーメン３０は、医療機器本体３００内に埋設された中空管３２の内腔により構成されている。
【００３２】
中空管３２は、例えば、熱可塑性樹脂により構成することができる。その熱可塑性樹脂としては、ポリテトラフルオロエチレン（ＰＴＦＥ）やポリエーテルエーテルケトン（ＰＥＥＫ）などの低摩擦樹脂が挙げられる。
【００３３】
２つ目の構造では、外層６０（後述）内に、医療機器本体３００の長手方向に沿う長尺な中空を形成することによって、サブルーメン３０を形成する。
【００３４】
医療機器本体３００は、例えば、内層２１と、内層２１の周囲に積層して形成された外層６０と、外層６０の周囲に形成されたコート層６４と、を含んで構成されたシース１６を有する。
シース１６は、例えば、樹脂材料からなる。すなわち、シース１６は、それぞれ樹脂材料からなる外層６０及び内層２１を含んで構成されている。換言すれば、シース１６は、外層６０及び内層２１を含む中空の樹脂層すなわち樹脂管である。
この樹脂管は、ワイヤコイル５０（後述）と同軸に配置されてワイヤコイル５０を被覆している。ワイヤコイル５０には、この樹脂管が被着されている。
【００３５】
内層２１は管状の樹脂材料からなる。内層２１の中心には、メインルーメン２０が形成されている。
【００３６】
外層６０は、内層２１と同種または異種の樹脂材料からなる。サブルーメン３０は、外層６０の内部に形成されている。
【００３７】
内層２１の材料は、例えば、フッ素系の熱可塑性ポリマー材料であることが挙げられる。このフッ素系の熱可塑性ポリマー材料は、具体的には、例えば、ポリテトラフルオロエチレン（ＰＴＦＥ）、ポリビニリデンフルオライド（ＰＶＤＦ）、或いはペルフルオロアルコキシフッ素樹脂（ＰＦＡ）である。
内層２１をこのようなフッ素系樹脂により構成することによって、メインルーメン２０を通じて造影剤や薬液などを患部に供給する際のデリバリー性が良好となる。
【００３８】
外層６０の材料は、例えば、熱可塑性ポリマーであることが挙げられる。この熱可塑性ポリマーとしては、ポリイミド（ＰＩ）、ポリアミドイミド（ＰＡＩ）、ポリエチレンテレフタレート（ＰＥＴ）、ポリエチレン（ＰＥ）、ポリアミド（ＰＡ）、ナイロンエラストマー、ポリウレタン（ＰＵ）、エチレン−酢酸ビニル樹脂（ＥＶＡ）、ポリ塩化ビニル（ＰＶＣ）またはポリプロピレン（ＰＰ）を挙げることができる。
【００３９】
シース１６を構成する樹脂材料は、無機フィラーを含有していても良い。例えば、シース１６の肉厚の大部分を占める外層６０を構成する樹脂材料として、無機フィラーを含有するものを用いることができる。
【００４０】
この無機フィラーは、例えば、硫酸バリウム、或いは次炭酸ビスマスであることが挙げられる。このような無機フィラーを外層６０に混入することにより、Ｘ線造影性が向上する。
【００４１】
コート層６４は、医療機器本体３００の最外層を構成するものであり、親水性の材料からなる。なお、コート層６４は、医療機器本体３００の遠位端部１５の一部長さに亘る領域にのみ形成されていても良いし、医療機器本体３００の全長に亘って形成されていても良い。
コート層６４は、例えば、ポリビニルアルコール（ＰＶＡ）やポリビニルピロリドンなどの親水性の樹脂材料で成形することによって、親水性となっている。なお、コート層６４は、外層６０の外表面に潤滑処理を施して少なくとも外層６０の外表面を親水性とすることによって形成されていても良い。
【００４２】
カテーテル１０は、内層２１の周囲に巻回されたワイヤコイル５０を更に有している。ワイヤコイル５０は、例えば、弾性体により構成された単数又は複数のワイヤ（線材）５２を螺旋状に巻回することにより構成されている。ワイヤコイル５０を構成するワイヤ５２の材料としては、例えば、金属を用いることが好ましい一例であるが、この例に限らず、内層２１及び外層６０よりも高剛性で弾性を有する材質であれば、その他の材質（例えば樹脂等）を用いても良い。具体的には、ワイヤ５２の金属材料として、例えば、ステンレススチール（ＳＵＳ）、ニッケルチタン系合金、鋼、チタン或いは銅合金を用いることができる。ワイヤ５２の断面形状の例については後述する。
ワイヤコイル５０は、外層６０に内包されている。
本実施形態においては、サブルーメン３０は、外層６０の内部において、ワイヤコイル５０の外側に形成されている。
【００４３】
ここで、本実施形態のカテーテル１０の各構成要素の代表的な寸法について説明する。
メインルーメン２０の半径は２００〜３００μｍ程度、内層２１の厚さは１０〜３０μｍ程度、外層６０の厚さは５０〜１５０μｍ程度、ワイヤコイル５０の外径は直径５００〜８６０μｍ、ワイヤコイル５０の内径は直径４２０〜６６０μｍとすることができる。
医療機器本体３００の軸心からサブルーメン３０の中心までの半径（距離）は３００〜４５０μｍ程度、サブルーメン３０の内径（直径）は４０〜１００μｍとする。そして、操作線４０の太さは３０〜６０μｍ程度とする。
医療機器本体３００の最外径（半径）は３５０〜４９０μｍ程度、すなわち外径が直径１ｍｍ未満である。これにより、本実施形態の医療機器本体３００は腹腔動脈などの血管に挿通可能である。
【００４４】
医療機器本体３００の遠位端部１５には、Ｘ線等の放射線が不透過な材料からなるリング状のマーカー６６が設けられている。具体的には、マーカー６６は白金などの金属材料により構成されている。マーカー６６は、例えば、メインルーメン２０の周囲、且つ、外層６０の内部に設けられている。
【００４５】
操作線４０の先端部４１は、医療機器本体３００の遠位端部１５に固定されている。操作線４０の先端部４１を遠位端部１５に固定する態様は特に限定されない。たとえば、操作線４０の先端部４１をマーカー６６に溶接或いは締結してもよく、医療機器本体３００の遠位端部１５に溶着してもよく、または接着剤によりマーカー６６または医療機器本体３００の遠位端部１５に接着固定してもよい。
【００４６】
サブルーメン３０は、少なくともカテーテル１０の近位端部１７側において開口している。各操作線４０の基端部は、サブルーメン３０の開口から近位端側に突出している。各操作線４０の基端部は、医療機器本体３００の近位端部１７に設けられた操作部７０に連結されている。
【００４７】
図４に示すように、操作部７０は、例えば、本体ケース７００と、本体ケース７００に対して回転可能に設けられたホイール操作部７６０と、を有している。
【００４８】
医療機器本体３００の基端部は、本体ケース７００内に導入されている。本体ケース７００の後端部には、ハブ７９０が取り付けられている。シース１６の基端は、ハブ７９０の前端部に固定されている。
【００４９】
ハブ７９０は、当該ハブ７９０を前後に貫通する中空が内部に形成された筒状体である。ハブ７９０の中空は、医療機器本体３００のメインルーメン２０と連通している。
【００５０】
ハブ７９０には、その後方から、図示しない注入器（シリンジ）を挿入できるようになっている。この注入器によって、ハブ７９０内に薬液等の液体を注入することにより、メインルーメン２０を介してその液体を医療機器本体３００の先端へ供給し、該液体を医療機器本体３００の先端から患者の体腔内へ供給することができる。
【００５１】
例えば、操作線４０及び中空管３２は、本体ケース７００の前端部においてシース１６から分岐している。
【００５２】
中空管３２は、その基端部が開口しており、操作線４０の基端部は、中空管３２の基端部の開口から近位端側に突出している。
【００５３】
各操作線４０の基端部は、ホイール操作部７６０に対して、直接的又は間接的に連結されている。ホイール操作部７６０を何れかの方向に回転操作することにより、操作線４０を個別に基端側に牽引して、医療機器本体３００の遠位端部１５を屈曲させることができるようになっている。
【００５４】
図４（ｂ）に示すようにホイール操作部７６０をその回転軸周りにおいて一方向に回転させる操作を行うと、一方の操作線４０が基端側に牽引される。すると、医療機器本体３００の遠位端部１５には、当該一方の操作線４０を通じて引張力が与えられる。これにより、医療機器本体３００の軸心を基準として、当該一方の操作線４０が挿通されているサブルーメン３０の側に向かって、医療機器本体３００の遠位端部１５は屈曲する。すなわち、医療機器本体３００の遠位端部１５が一方向に屈曲する。
【００５５】
また、図４（ｃ）に示すようにホイール操作部７６０をその回転軸周りにおいて他方向に回転させる操作を行うと、他方の操作線４０が基端側に牽引される。すると、医療機器本体３００の遠位端部１５には、当該他方の操作線４０を通じて引張力が与えられる。これにより、医療機器本体３００の軸心を基準として、当該他方の操作線４０が挿通されているサブルーメン３０の側に向かって、医療機器本体３００の遠位端部１５は屈曲する。すなわち、医療機器本体３００の遠位端部１５が他方向に屈曲する。
【００５６】
ここで、医療機器本体３００が屈曲するとは、医療機器本体３００が「くの字」状に折れ曲がる態様と、弓なりに湾曲する態様とを含む。
【００５７】
このように、操作部７０のホイール操作部７６０に対する操作によって、２本の操作線４０を選択的に牽引することにより、医療機器本体３００の遠位端部１５を第１の方向と、その反対方向である第２の方向と、に屈曲させることができる。第１の方向と、第２の方向は、互いに同一平面に含まれる。
【００５８】
カテーテル１０の全体を軸回転させるトルク操作と、牽引操作と、を組み合わせて行うことにより、医療機器本体３００の遠位端ＤＥの向きを自在に制御することが可能となる。
更に、操作線４０の牽引量を調節することにより、医療機器本体３００の遠位端ＤＥの屈曲量を調節することができる。
このため、本実施形態のカテーテル１０の医療機器本体３００は、たとえば分岐する血管等の体腔に対して、所望の方向に進入させることが可能である。
すなわち、遠位端部１５を屈曲させる操作を行うことにより、体腔への進入方向を変更可能である。
【００５９】
次に、図１及び図２を参照して、医療機器本体３００についてより詳細に説明する。
【００６０】
ワイヤコイル５０を構成するワイヤ５２は、横断面形状が非円形のものである。本実施形態の場合、ワイヤ５２は、例えば、横断面形状が扁平な矩形状のいわゆる平線である。ワイヤ５２の横断面形状において、長径寸法にあたる幅寸法は、短径寸法にあたる厚さ寸法よりも長い。厚さ寸法に対する幅寸法の比、すなわち厚さ寸法を１としたときの幅寸法は、１．１以上５以下が好ましく、１．５以上４以下がより好ましく、２以上４以下が更に好ましい。ワイヤ５２の幅寸法の実寸法としては、１ｍｍ以下、好ましくは０．５ｍｍである。ワイヤ５２は、医療機器本体３００の縦断面におけるワイヤ５２の断面形状が、厚さが幅に対して薄肉となるよう巻回される。
【００６１】
なお、ワイヤ５２を螺旋状に巻回する際に適切な張力で、且つ、適切な角度でワイヤ５２を巻回することにより、ワイヤ５２の横断面形状及び縦断面形状が湾曲し、例えば図１に示すような凹形状となる。
ここで、この形状についてより詳しく説明すると、例えば、図２に示すように、外側表面５２ａが凹曲面となり、内側表面５２ｂが凸曲面となっている。また、先端側及び基端側の端面５２ｃ、５２ｄがそれぞれ先端側及び基端側に突出する凸曲面となっていることが挙げられる。
【００６２】
図１（ａ）に示すように、例えば、医療機器本体３００の遠位端部１５においては、ワイヤ５２は、医療機器本体３００の長手方向に対して傾斜している。すなわち、図２（ａ）に示すように、ワイヤ５２の縦断面において、ワイヤ５２の断面形状における最大幅方向Ｗが、医療機器本体３００の長手方向Ｘに対して傾斜している。長手方向Ｘに対する最大幅方向Ｗの傾斜角度は、０度よりも大きく４５度未満である。好ましくは５度以上３０度以下である。
なお、ワイヤ５２の外側表面５２ａ及び内側表面５２ｂも、長手方向Ｘに対して傾斜している。
【００６３】
長手方向Ｘに対して最大幅方向Ｗが傾斜するようにワイヤ５２を巻回する方法としては、例えば、以下の方法が挙げられる。
（１）ワイヤ５２が長手方向Ｘに対する傾斜方向にワイヤ５２の軸心周りに変形するようにワイヤ５２に捻りを加えながらワイヤ５２を巻回する方法
この方法の一例として、ワイヤ５２が塑性変形するように捻りを加えてワイヤ５２を巻回する方法が挙げられる。また、この方法の他の一例として、ワイヤ５２が弾性変形するように捻りを加えながらワイヤ５２を巻回した後、熱処理によってワイヤ５２の形状を弾性変形後の形状で安定化させる方法が挙げられる。
（２）ワイヤコイル５０の互いに隣接する巻回部どうしが医療機器本体３００の長手方向において部分的に互いに重なり合うように巻回する方法
なお、巻回前の元々のワイヤ５２の形状が、長手方向Ｘに対する傾斜面を持つ形状、特に、外側表面５２ａが長手方向Ｘに対して傾斜した形状となっていても良い。
【００６４】
一方、図１（ｂ）に示すように、例えば、医療機器本体３００の長手方向において、遠位端部１５の基端側に隣接する中間部１８においては、ワイヤ５２は、医療機器本体３００の長手方向に対して平行となっている。すなわち、図２（ｂ）に示すように、ワイヤ５２の縦断面において、ワイヤ５２の断面形状における最大幅方向Ｗが、医療機器本体３００の長手方向Ｘに対して平行となっている。
【００６５】
図２に示すように、ワイヤ５２の厚みをＴ、医療機器本体３００の軸心からワイヤ５２の外側表面５２ａまでの最大高低差をＨとする。最大高低差Ｈは、医療機器本体３００の軸心から外側表面５２ａまでの距離のうち、最も長いものと、最も短いものとの差を意味する。本実施形態の場合、Ｈ／Ｔの値が、医療機器本体３００の長手方向における位置により異なる。つまり、本実施形態の場合、医療機器本体３００の遠位端部１５におけるＨ／Ｔの値の方が、医療機器本体３００の中間部１８におけるＨ／Ｔの値よりも大きい。
【００６６】
その結果、ワイヤ５２の形状因子の、シース１６に対するワイヤ５２のアンカー効果であって、且つ、ワイヤ５２の単位厚み当たりのアンカー効果（以下、形状因子単位アンカー効果と称する）が、医療機器本体３００の長手方向における位置に応じて異なる。つまり、本実施形態の場合、医療機器本体３００の遠位端部１５における形状因子単位アンカー効果が、医療機器本体３００の中間部１８における形状因子単位アンカー効果よりも大きい。
ここで、形状因子とは、ワイヤ５２の形状と姿勢（シース１６に対する傾斜）を含む因子を意味する。形状因子単位アンカー効果は、ワイヤ５２が断面矩形等の形状で且つ医療機器本体３００の長手方向に対して傾斜していない場合と比べて、ワイヤ５２の形状または姿勢に起因して増大する、ワイヤ５２の単位厚み当たりの、ワイヤ５２とシース１６との医療機器本体３００の長手方向における相対移動に対するアンカー効果である。アンカー効果が高いほど、体腔からの医療機器本体３００の抜去時に、ワイヤコイル５０とシース１６（特に外層６０）との剥離を良好に抑制することができる。
【００６７】
ここで、例えば、遠位端部１５におけるワイヤ５２の厚みと、中間部１８におけるワイヤ５２の厚みとが互いに等しい場合、上記Ｈの値が、医療機器本体３００の長手方向における位置により異なる。つまり、この場合、医療機器本体３００の遠位端部１５におけるＨの値の方が、医療機器本体３００の中間部１８におけるＨの値よりも大きい。
その結果、ワイヤ５２の形状因子の、シース１６に対するワイヤ５２のアンカー効果（以下、形状因子アンカー効果と称する）が、医療機器本体３００の長手方向における位置に応じて異なる。つまり、本実施形態の場合、医療機器本体３００の遠位端部１５における形状因子アンカー効果が、医療機器本体３００の中間部１８における形状因子アンカー効果よりも大きい。
形状因子アンカー効果は、ワイヤ５２が断面矩形等の形状で且つ医療機器本体３００の長手方向に対して傾斜していない場合と比べて、ワイヤ５２の形状または姿勢に起因して増大する、ワイヤ５２とシース１６との医療機器本体３００の長手方向における相対移動に対するアンカー効果である。
【００６８】
なお、本実施形態の場合、図２（ａ）及び図２（ｂ）の何れの場合においても、図２（ａ）に示すように、ワイヤ５２の外側表面５２ａにおいて、医療機器本体３００の軸心から最も遠くに位置する頂部Ｐが、医療機器本体３００の長手方向においてワイヤ５２の中心位置Ｃからずれている。
ただし、遠位端部１５においては、ワイヤ５２が傾斜していることにより、図２（ａ）に示すように、頂部Ｐは、医療機器本体３００の長手方向においてワイヤ５２の中心位置Ｃを基準とする一方の側にのみ存在している。
【００６９】
図１（ａ）に示すように、遠位端部１５においては、ワイヤコイル５０の互いに隣接する巻回部どうしが、医療機器本体３００の長手方向において部分的に互いに重なり合っている。
一方、図１（ｂ）に示すように、中間部１８においては、ワイヤコイル５０の互いに隣接する巻回部どうしが互いに重なり合っていない。
これにより、遠位端部１５における上記Ｈ／Ｔの値及びＨの値が、中間部１８における上記Ｈ／Ｔの値及びＨの値よりも増大している。
すなわち、医療機器本体３００の長手方向における一部区間（例えば遠位端部１５）において、ワイヤコイル５０の互いに隣接する巻回部どうしが、長手方向において部分的に重なり合っている。そして、その一部区間（例えば遠位端部１５）でのＨ／Ｔの値及びＨの値が、一部区間と隣接する区間（例えば中間部１８）でのＨ／Ｔの値及びＨの値よりも大きい。
【００７０】
具体的には、図１（ａ）の例では、ワイヤコイル５０の互いに隣接する巻回部のうち、先端側の巻回部の後部（基端部）の外周側に、基端側の巻回部の前部（先端部）が乗り上げている。これにより、遠位端部１５では、ワイヤ５２は、その縦断面において、ワイヤ５２の先端側が医療機器本体３００の軸心から遠ざかる方向に傾斜している。
ただし、ワイヤ５２の傾斜方向は、図１（ａ）とは反対方向であっても良い。すなわち、ワイヤ５２の縦断面において、ワイヤ５２の基端側が医療機器本体３００の軸心から遠ざかる方向に傾斜していても良い。
【００７１】
なお、図１に示すように、ワイヤコイル５０は、例えば、複数のワイヤ５２（複数条のワイヤ５２）が巻回軸方向に並ぶ並列状態となるように螺旋状に巻回されることにより構成された多条コイルであることが挙げられる。図１では、ワイヤコイル５０を構成するワイヤ５２の本数（条数）が４本（４条）である例を示しているが、ワイヤコイル５０を構成するワイヤ５２の本数は４本以外の複数本であっても良い。
【００７２】
本実施形態の場合、上記Ｈ／Ｔの値は、例えば、医療機器本体３００の先端側ほど大きい。また、例えば、上記Ｈの値も、例えば、医療機器本体３００の先端側ほど大きい。
【００７３】
次に、本実施形態に係る医療機器の製造方法を説明する。
【００７４】
この製造方法は、長尺で可撓性を有し、体腔内に挿入される医療機器本体３００を作成する工程を有している。
この工程は、以下の工程を有している。
１）長尺な内側樹脂管（内層２１）を形成する工程
２）横断面形状が非円形のワイヤ５２を螺旋状に巻回することによりワイヤコイル５０を形成する工程
３）内側樹脂管（内層２１）の周囲に、ワイヤコイル５０を配置する工程
４）ワイヤコイル５０の周囲に長尺な外側樹脂管（外層６０）を形成し、外側樹脂管と内側樹脂管とを含む樹脂管（シース１６）にワイヤコイル５０を埋設する工程
ここで、ワイヤ５２の縦断面において、ワイヤ５２の厚みをＴ、医療機器本体３００の軸心からワイヤ５２の外側表面までの最大高低差をＨとする。
ワイヤコイル５０を形成する工程では、Ｈ／Ｔの値が、医療機器本体３００の長手方向における位置により異なるように、ワイヤコイル５０を形成する。
以下、詳細に説明する。
【００７５】
例えば、以下に説明するように、カテーテル１０の各部を別個に作成し、それらを組み合わせることによって、カテーテル１０を製造する。
【００７６】
外層６０は、例えば、押出成形装置（図示略）により、成形材料としての樹脂材料を押出成形することによって作成する。この押出成形の際には、樹脂材料とともに芯線（マンドレル）を押し出すことにより、この芯線の周囲に、外層６０となる樹脂材料を被着させる。
芯線の材質は特に限定されないが、一例として、銅または銅合金、炭素鋼やＳＵＳ等の合金鋼、ニッケルまたはニッケル合金を挙げることができる。
芯線の表面には、任意で離型処理を施してもよい。離型処理としては、フッ素系やシリコン系などの離型剤の塗布のほか、光学的または化学的な表面処理をおこなってもよい。
【００７７】
ここで、外層６０において後に中空管３２が埋設されることによりサブルーメン３０が形成される位置の各々に、長手方向に沿う長尺な中空が形成されるように、例えば、その位置にガスなどの流体を供給しながら押出成形する。この中空の内径は、中空管３２の外径よりも大きい。これは、後にこの中空内に中空管３２を差し込む工程を容易にするためである。
押出成形後、芯線を引き抜くことにより、中空形状の外層６０を作成することができる。なお、外層６０の成形に用いられる芯線の線径は、ワイヤコイル５０の外径よりも大きい。これは、後にワイヤコイル５０（及び内層２１）の周囲に外層６０を被せる工程を容易にするためである。
【００７８】
内層２１は、外層６０を作成するための押出成形装置とは別の押出成形装置（図示略）により樹脂材料を押出成形することによって作成する。この押出成形の際には、樹脂材料とともに芯線（外層６０の作成用とは別の芯線）を押し出すことにより、この芯線の周囲に、内層２１となる樹脂材料を被着させる。芯線の線径は、メインルーメン２０の径に相当する。なお、内層２１は、ディスパージョン成形装置により成形しても良い。
芯線の材質は、十分な引っ張り強度を持つ弾性体であれば特に限定されないが、一例として、銅または銅合金、炭素鋼やＳＵＳ等の合金鋼、ニッケルまたはニッケル合金（ニッケル−チタン合金等）を挙げることができる。
芯線の表面には、任意で離型処理を施してもよい。離型処理としては、フッ素系やシリコン系などの離型剤の塗布のほか、光学的または化学的な表面処理をおこなってもよい。
【００７９】
また、別途、中空管３２を作成する。中空管３２は、内層２１を作成するための押出成形装置、並びに、外層６０を作成するための押出成形装置とは別の押出成形装置（図示略）により、樹脂材料を押出成形することによって作成する。ここで、押出成形装置の押出口（ノズル）の中心に配置された吐出管から、ガスなどの流体を吐出しながら押出成形を行うことによって、中空管３２の中心に中空を形成する。
【００８０】
また、中空管３２内に挿通されるダミー芯線を別途準備し、このダミー芯線を中空管３２内に挿通する。
【００８１】
また、別途、ワイヤコイル５０を作成する。
【００８２】
ワイヤコイル５０は、例えば、互いに曲げ剛性及びねじり剛性が異なる複数のワイヤコイルを長手方向に連接することにより構成されている。
【００８３】
これら複数のワイヤコイルは、それぞれ、芯線（内層２１の作成用、外層６０の作成用とは別の芯線）の周囲に、巻線機を用いてワイヤ５２を螺旋状に巻回する工程などを経て別個に作成する。その後、各ワイヤコイル内の芯線を引き抜く。更に、その後、これらワイヤコイルを共通の芯線に外挿した状態で、これらワイヤコイルをレーザ溶接などにより接合して長手方向に連結することにより、ワイヤコイル５０を作成する。その後、ワイヤコイル５０内の芯線を引き抜く。
【００８４】
ここで、上記のように、ワイヤ５２の傾斜は、医療機器本体３００の長手方向における位置に応じて異なる。具体的には、例えば、遠位端部１５においては、ワイヤ５２の最大幅方向Ｗが医療機器本体３００の長手方向に対して傾斜しているのに対し、中間部１８においては、ワイヤ５２の最大幅方向Ｗが医療機器本体３００の長手方向に対して平行となっている。
このため、遠位端部１５に配置されるワイヤコイルについては、ワイヤ５２の最大幅方向Ｗが医療機器本体３００の長手方向に対して傾斜するように、ワイヤ５２を巻回する。また、中間部１８に配置されるワイヤコイルについては、ワイヤ５２の最大幅方向Ｗが医療機器本体３００の長手方向に対して平行となるように、ワイヤ５２を巻回する。
【００８５】
ここで、ワイヤ５２の厚みをＴ、医療機器本体３００の軸心からワイヤ５２の外側表面５２ａまでの最大高低差をＨとすると、Ｈ／Ｔの値を、医療機器本体３００の長手方向における位置により異ならせる。具体的には、遠位端部１５に配置されるワイヤコイルにおけるＨ／Ｔの値を、中間部１８に配置されるワイヤコイルにおけるＨ／Ｔの値よりも大きくする。
【００８６】
また、一例として、上記Ｈの値を、医療機器本体３００の長手方向における位置により異ならせる。具体的には、遠位端部１５に配置されるワイヤコイルにおけるＨの値を、中間部１８に配置されるワイヤコイルにおけるＨの値よりも大きくする。
【００８７】
例えば、遠位端部１５に配置されるワイヤコイルについては、そのワイヤコイルの互いに隣接する巻回部どうしが、医療機器本体３００の長手方向において部分的に互いに重なり合うように、ワイヤ５２を巻回する。
一方、中間部１８に配置されるワイヤコイルについては、そのワイヤコイルの互いに隣接する巻回部どうしが互いに重なり合わないように、ワイヤ５２を巻回する。
【００８８】
芯線付きの内層２１を作成し、且つ、ワイヤコイル５０を作成した後、芯線付きの内層２１にワイヤコイル５０を外挿する。
更に、外層６０をワイヤコイル５０に外挿する。
これにより、中心側から順に、芯線、内層２１、ワイヤコイル５０及び外層６０が同心状に配置された状態となる。
【００８９】
次に、外層６０の中空の各々に対し、中空管３２（ダミー芯線入り）を挿通する。
【００９０】
次に、外層６０の周囲に熱収縮チューブを被せる。次に、加熱により熱収縮チューブを収縮させて、外層６０を周囲から締め付けるとともに、外層６０を加熱する。なお、この加熱温度は、外層６０の溶融温度よりも高く、内層２１の溶融温度よりも低い。この加熱により、外層６０を溶融させて、外層６０をワイヤコイル５０及び内層２１に被着する（溶着により接合する）。このとき、外層６０を構成する樹脂材料が、ワイヤコイル５０を内包し、該樹脂材料がワイヤコイル５０に含浸する。
こうして、ワイヤコイル５０に対し、ワイヤコイル５０と同軸の管状に外層６０を被着することができる。
【００９１】
その後、外層６０を冷却させ固化させる。その後、熱収縮チューブに切り込みを入れ、該熱収縮チューブを引き裂くことによって、熱収縮チューブを外層６０から取り除く。
次に、中空管３２からダミー芯線を引き抜き、中空管３２内に操作線４０を挿通する。
【００９２】
また、別途、マーカー６６を準備し、マーカー６６に対して各操作線４０を固定する。
【００９３】
次に、医療機器本体３００の先端部にマーカー６６を固定する。このためには、例えば、医療機器本体３００の先端部の外層６０を切除し、医療機器本体３００の先端部において、内層２１を露出させる。このとき、中空管３２も外層６０とともに切除する。次に、操作線４０の先端部を中空管３２の先端より先端側に突出させた状態とする。
【００９４】
次に、マーカー６６を医療機器本体３００の先端部において内層２１の周囲に外挿し、マーカー６６を内層２１の周囲に対してかしめ固定する。
【００９５】
次に、医療機器本体３００の先端部の周囲を、予め筒状に成形した被覆樹脂（図示略）で覆い、上記熱収縮チューブとは別の熱収縮チューブを用いて、被覆樹脂を外層６０及び内層２１に対して溶着により接合する。なお、外層６０と被覆樹脂とは、例えば、溶融し互いに一体化する。なお、マーカー６６の先端側の面も、溶融した外層６０又は被覆樹脂により覆われる。
【００９６】
次に、医療機器本体３００の基端部に対し、ハブ７９０を接続する。
【００９７】
次に、内層２１内の芯線を引き抜く。芯線の引き抜きは、芯線の長手方向両端を引っ張ることにより芯線が塑性変形するまで芯線を細径化した状態で行う。これにより、内層２１の中心には、メインルーメン２０となる中空が形成される。
【００９８】
次に、別途作成した操作部７０のホイール操作部７６０に対し、直接的又は間接的に、操作線４０の基端部を連結する。更に、操作部７０の本体ケース７００とホイール操作部７６０とを組み立てるとともに、本体ケース７００にハブ７９０を取り付ける。
【００９９】
こうして、操作線４０に対する牽引操作により医療機器本体３００が屈曲する状態とする。
【０１００】
次に、薄くコート層６４を形成する。
【０１０１】
こうして、カテーテル１０を製造することができる。
【０１０２】
以上のような第１の実施形態によれば、Ｈ／Ｔの値が、医療機器本体３００の長手方向における位置により異なる。ここで、Ｈ／Ｔの値が大きいほど、ワイヤ５２の単位厚み当たりの、シース１６（特に外層６０）に対するワイヤ５２のアンカー効果が大きい。よって、医療機器本体３００の長手方向において、部分的にシース１６に対するワイヤ５２のアンカー効果を大きくしたい位置にて、Ｈ／Ｔの値を大きくすることにより、ワイヤコイル５０と外層６０との界面における剥離を抑制することができる。
具体的には、上記のように、遠位端部１５において、Ｈ／Ｔの値を大きくすることができる。これにより、体腔からカテーテル１０を抜去する際に、遠位端部１５においてワイヤコイル５０とシース１６の外層６０との剥離を抑制することができる。
また、中間部１８においてはワイヤコイル５０の配置領域の厚みを抑制できるので、中間部１８において、医療機器本体３００の大径化の抑制と、メインルーメン２０の十分な内腔面積の確保とを実現できる。
【０１０３】
一例としては、上記Ｈの値が、医療機器本体３００の長手方向における位置により異なる構成とすることができる。例えば、遠位端部１５におけるＨの値を、中間部１８におけるＨの値よりも大きくすることにより、遠位端部１５においてワイヤコイル５０とシース１６との界面における剥離を一層抑制できる。また、中間部１８においてはワイヤコイル５０の配置領域の厚みを一層抑制でき、中間部１８において、医療機器本体３００の大径化の更なる抑制と、メインルーメン２０の更に十分な内腔面積の確保とを実現できる。
【０１０４】
〔第２の実施形態〕
図５は第２の実施形態に係るカテーテル１０の医療機器本体３００の模式的な縦断面図である。このうち図５（ａ）は遠位端部１５を示し、図５（ｂ）は中間部１８を示す。図５の左方がカテーテル先端側にあたり、右方が手元側（基端側）にあたる。
【０１０５】
本実施形態に係るカテーテル１０は、以下に説明する点でのみ、上記の第１の実施形態と相違し、その他の点では、上記の第１の実施形態と同様に構成されている。
【０１０６】
本実施形態の場合、遠位端部１５におけるワイヤ５２の傾斜と、中間部１８におけるワイヤ５２の傾斜とが、上記の第１の実施形態とは逆転している。すなわち、図５（ａ）に示すように、例えば、遠位端部１５においては、ワイヤ５２は、医療機器本体３００の長手方向に対して平行となっている。一方、図５（ｂ）に示すように、中間部１８においては、ワイヤ５２は、医療機器本体３００の長手方向に対して傾斜している。
【０１０７】
本実施形態の場合、医療機器本体３００の遠位端部１５におけるＨ／Ｔの値の方が、医療機器本体３００の中間部１８におけるＨ／Ｔの値よりも小さい。
【０１０８】
また、一例として、医療機器本体３００の遠位端部１５におけるＨの値の方が、医療機器本体３００の中間部１８におけるＨの値よりも小さい。
【０１０９】
図５（ａ）に示すように、遠位端部１５においては、ワイヤコイル５０の互いに隣接する巻回部どうしが互いに重なり合っていない。
一方、図５（ｂ）に示すように、中間部１８においては、ワイヤコイル５０の互いに隣接する巻回部どうしが、医療機器本体３００の長手方向において部分的に互いに重なり合っている。
これにより、遠位端部１５における上記Ｈ／Ｔの値及びＨの値が、中間部１８における上記Ｈ／Ｔの値及びＨの値よりも減少している。
すなわち、医療機器本体３００の長手方向における一部区間（中間部１８）において、ワイヤコイル５０の互いに隣接する巻回部どうしが、長手方向において部分的に重なり合っている。そして、その一部区間（中間部１８）でのＨ／Ｔの値及びＨの値が、一部区間と隣接する区間（遠位端部１５）でのＨ／Ｔの値及びＨの値よりも大きい。
【０１１０】
本実施形態の場合、Ｈ／Ｔの値は、例えば、医療機器本体３００の先端側ほど小さい。また、例えば、Ｈの値も、例えば、医療機器本体３００の先端側ほど小さい。
【０１１１】
以上のような第２の実施形態によれば、シース１６に対するワイヤコイル５０のアンカー効果を、中間部１８では相対的に大きく、遠位端部１５では相対的に小さくすることができる。これにより、遠位端部１５では、外層６０とワイヤコイル５０とが適度に相対移動可能となり、ワイヤコイル５０の可動性及び遠位端部１５の屈曲性が良好となる。
【０１１２】
〔第３の実施形態〕
図６は第３の実施形態に係るカテーテル１０の医療機器本体３００の模式的な縦断面図である。このうち図６（ａ）は遠位端部１５を示し、図６（ｂ）は中間部１８を示す。図６の左方がカテーテル先端側にあたり、右方が手元側（基端側）にあたる。
【０１１３】
本実施形態に係るカテーテル１０は、以下に説明する点でのみ、上記の第１の実施形態と相違し、その他の点では、上記の第１の実施形態と同様に構成されている。
【０１１４】
本実施形態の場合、中間部１８におけるワイヤ５２の厚み（太さ）よりも、遠位端部１５におけるワイヤ５２の厚み（太さ）が薄い（細い）。
すなわち、医療機器本体３００の長手方向における一部区間（遠位端部１５）において、ワイヤコイル５０の互いに隣接する巻回部どうしが、医療機器本体３００の長手方向において部分的に互いに重なり合っている。そして、その一部区間（遠位端部１５）でのＨ／Ｔの値が、その一部区間と隣接する区間（中間部１８）でのＨ／Ｔの値よりも大きい。そして、ワイヤ５２は、医療機器本体３００の先端側ほど厚みが薄い。
【０１１５】
なお、ワイヤコイル５０を構成するワイヤ５２の本数（条数）は、遠位端部１５より中間部１８の方が少なくなっている。例えば、図６（ｂ）の例では、中間部１８では、１本（１条）のワイヤ５２をピッチ巻きすることによりワイヤコイル５０を構成している。
【０１１６】
第３の実施形態によれば、遠位端部１５でのワイヤ５２の厚みが薄いことにより、遠位端部１５でのワイヤコイル５０ひいては医療機器本体３００の曲げ剛性を抑制できる。しかも、遠位端部１５において、ワイヤコイル５０の互いに隣接する巻回部どうしが、医療機器本体３００の長手方向において部分的に互いに重なり合っていることによって、上記Ｈ／Ｔの値を確保することができる。
【０１１７】
〔第４の実施形態〕
図７は第４の実施形態に係るカテーテル１０の医療機器本体３００の模式的な縦断面図である。このうち図７（ａ）は遠位端部１５を示し、図７（ｂ）は中間部１８を示す。図７の左方がカテーテル先端側にあたり、右方が手元側（基端側）にあたる。
【０１１８】
本実施形態に係るカテーテル１０は、以下に説明する点でのみ、上記の第２の実施形態と相違し、その他の点では、上記の第２の実施形態と同様に構成されている。
【０１１９】
本実施形態の場合、中間部１８においてワイヤコイル５０を構成するワイヤ５２の本数（条数）が、遠位端部１５においてワイヤコイル５０を構成するワイヤ５２の本数（条数）よりも多い。
すなわち、医療機器本体３００の長手方向における一部区間（中間部１８）において、ワイヤコイル５０を構成するワイヤ５２の条数が、一部区間と隣接する区間（遠位端部１５）においてワイヤコイル５０を構成するワイヤ５２の条数よりも多い。例えば、中間部１８での条数が１２条となっている。
【０１２０】
中間部１８においては、ワイヤ５２の条数を多くすることにより、ワイヤ５２の断面形状における最大幅方向Ｗを医療機器本体３００の長手方向に対して傾斜させやすくしている。つまり、ワイヤ５２のピッチ角α（医療機器本体３００の長手方向とワイヤ５２の軸心方向とのなす角度）が、医療機器本体３００の長手方向における位置により異なっており、具体的には、中間部１８におけるピッチ角αが、遠位端部１５におけるピッチ角αよりも大きくなっている。これにより、中間部１８において、ワイヤ５２の断面形状における最大幅方向Ｗを医療機器本体３００の長手方向に対して傾斜させやすくなっている。
【０１２１】
〔第５の実施形態〕
図８は第５の実施形態に係るカテーテル１０の医療機器本体３００の模式的な縦断面図である。このうち図８（ａ）は遠位端部１５を示し、図８（ｂ）は近位端部１７を示す。図８の左方がカテーテル先端側にあたり、右方が手元側（基端側）にあたる。
【０１２２】
本実施形態に係るカテーテル１０は、以下に説明する点でのみ、上記の第１の実施形態と相違し、その他の点では、上記の第１の実施形態と同様に構成されている。
【０１２３】
本実施形態の場合、シース１６において、ワイヤコイル５０よりも外側の部分の肉厚をＴＰとすると、ＴＰの値は、医療機器本体３００の先端側ほど薄くなっている。すなわち、近位端部１７における肉厚ＴＰよりも、遠位端部１５における外層６０の肉厚ＴＰの方が薄い。
【０１２４】
より具体的には、例えば、医療機器本体３００の先端側ほど、Ｈ／ＴＰの値が大きくなっている。
【０１２５】
例えば、図８のように、遠位端部１５におけるＨ／Ｔの値が、近位端部１７におけるＨ／Ｔの値よりも大きい。この場合、遠位端部１５においては、薄肉の外層６０に対して、ワイヤコイル５０のアンカー効果を十分に得ることができる。
【０１２６】
また、図示はしないが、遠位端部１５におけるＨ／Ｔの値を、近位端部１７におけるＨ／Ｔの値よりも小さくても良い。この場合、遠位端部１５においては、薄肉の外層６０に対応して、Ｈ／Ｔの値が小さいことにより、外層６０の厚さ低減が可能である。
【０１２７】
〔第６の実施形態〕
図９は第６の実施形態に係るカテーテル１０の医療機器本体３００の近位端部１７の模式的な縦断面図である。図９の左方がカテーテル先端側にあたり、右方が手元側（基端側）にあたる。
【０１２８】
本実施形態に係るカテーテル１０は、以下に説明する点でのみ、上記の第１の実施形態と相違し、その他の点では、上記の第１の実施形態と同様に構成されている。
【０１２９】
本実施形態の場合、近位端部１７において、ワイヤコイル５０の外側表面５０ａが平坦となっている。例えば、外側表面５０ａ（ワイヤ５２の外側表面５２ａ）を研磨することにより、外側表面５０ａが平坦化されている。
【０１３０】
これにより、近位端部１７におけるワイヤコイル５０の層厚を抑制することができる。
【０１３１】
上記の各実施形態では、ワイヤ５２の横断面形状が矩形状である例を説明したが、ワイヤ５２の横断面形状は、非円形であれば特に限定されない。ここで、非円形としては、長円形、楕円形、半円形、扇形（１本の孤をもつ扇形、または外孤と内孤をもつ扇形（地紙形））、曲玉形、紡錘形、水玉形または多角形を例示的に挙げることができる。多角形は、長方形、台形、菱形または平行四辺形などの凸多角形のほか、１８０度を超える内角をもつ凹多角形でもよい。また、この非円形は、上記形状を複合した形状でもよく、具体的には、弧状に突出する辺を有する角丸多角形や、弧状に凹陥する辺を有する凹レンズ形でもよい。この非円形は、これに外接する最小面積の長方形を想定した場合にその長辺と短辺の長さが異なるものでもよい。そして、これらの形状のワイヤ５２のうち、Ｈ／Ｔの値が互いに異なるワイヤ５２を、医療機器本体３００の長手方向における位置に応じて選択すると良い。
【０１３２】
また、上記においては、操作機構を有する能動タイプのカテーテル１０を例示したが、本発明はこの例に限らず、操作機構を有していない非能動タイプのカテーテルにも適用することができる。
【符号の説明】
【０１３３】
１０ カテーテル
１５ 遠位端部
１６ シース
１７ 近位端部
１８ 中間部
２０ メインルーメン
２１ 内層
３０ サブルーメン
３２ 中空管
４０ 操作線
４１ 先端部
５０ ワイヤコイル
５０ａ 外側表面
５２ ワイヤ
５２ａ 外側表面
５２ｂ 内側表面
５２ｃ 先端側の端面
５２ｄ 基端側の端面
６０ 外層
６４ コート層
６６ マーカー
７０ 操作部
３００ 医療機器本体
７００ 本体ケース
７６０ ホイール操作部
７９０ ハブ
ＤＥ 遠位端
Ｗ 最大幅方向
Ｘ 長手方向
ＴＰ 肉厚
Ｐ 頂部
Ｃ 中心位置
【図１】
2013208355.tif 000003
【図２】
2013208355.tif 000004
【図３】
2013208355.tif 000005
【図４】
2013208355.tif 000006
【図５】
2013208355.tif 000007
【図６】
2013208355.tif 000008
【図７】
2013208355.tif 000009
【図８】
2013208355.tif 000010
【図９】
2013208355.tif 000011